(57)【要約】【課題】チューブ容器の密閉膜を破った後に開封刃に付着した中味が使用者に付着しないようにする。【解決手段】キャップ本体３の軸方向の中間に天板６が設けられ、天板で区切られるキャップ本体の一方の空洞Ｐ内に、容器本体の注出口２の雄ネジ２ａと螺合する雌ネジ３ａが形成され、他方の空洞Ｑ内には、容器本体の注出口の密閉膜４を破る開封刃５が天板から起立するように設けられる。他方の空洞Ｑ内に、密閉膜を開封刃により破る時と破った後の再封時に注出口の雄ネジと螺合する雌ネジ３ｂが形成される。密閉膜を破った後もキャップ本体の同じ雌ネジ３ｂを使って注出口を開閉させることができるので、開封時に開封刃に付着した中味が使用者の手等に付着しない。【選択図】図７
2012076786.tif 000002
【特許請求の範囲】
【請求項１】
キャップ本体の軸方向の中間に天板が設けられ、この天板で区切られるキャップ本体の一方の空洞内に、容器本体の注出口の雄ネジと螺合する雌ネジが形成され、他方の空洞内には、容器本体の注出口の密閉膜を破る開封刃が天板から起立するように設けられた開封刃付きキャップにおいて、上記他方の空洞内に、上記密閉膜を上記開封刃により破る時と破った後の再封時に上記注出口の雄ネジと螺合する雌ネジが形成されたことを特徴とする開封刃付きキャップ。
【請求項２】
請求項１に記載の開封刃付きキャップにおいて、複数個の開封刃が上記天板の中心の回りに配置されたことを特徴とする開封刃付きキャップ。
【請求項３】
請求項２に記載の開封刃付きキャップにおいて、開封刃が、上記天板の中央から起立する円柱の端面にＶ型溝が放射状に設けられることにより形成される形状とすることを特徴とする開封刃付きキャップ。
【請求項４】
請求項１に記載の開封刃付きキャップにおいて、開封刃が、上記天板の中心から外れた位置に設けられたことを特徴とする開封刃付きキャップ。
【請求項５】
請求項４に記載の開封刃付きキャップにおいて、開封刃が、上記天板の中央から起立する円柱をその中心軸に斜めに交差する斜面で切除した形状とされたことを特徴とする開封刃付きキャップ。
【発明の詳細な説明】
【技術分野】
【０００１】
本発明は、チューブ容器等の注出口を塞ぐ密閉膜を開封することができる開封刃付きキャップに関する。
【背景技術】
【０００２】
毛染め剤、脱毛剤等を充填したチューブ容器等は、中味の毛染め剤等を注出するための円筒形の注出口を有し、中味の酸化、変質を防ぐため、注出口の先端はアルミニウム箔等からなる密閉膜により塞がれる。また、注出口にはキャップが被せられ、注出口の外周面には雄ネジが形成され、この雄ネジに螺合する雌ネジがキャップ内に形成される。このキャップにより注出口が保護される。
【０００３】
上記キャップには、チューブ容器から中味を取り出すに際し、密閉膜を破るために先の尖った錐状の刃がキャップの天板に設けられる。
【０００４】
キャップで密閉膜を破る方式には概ね二通りあり、チューブ容器等の注出口にキャップを螺合させて搬送、保管等し、中味を取り出す際はキャップを注出口から外すことなく更にネジ込むことにより刃を密閉膜に突き立てる方式と、キャップを注出口から一旦外し逆様にして注出口に螺合させることにより刃を密閉膜に突き立てる方式とがある。
【０００５】
前者の場合は、刃が天板の内面に垂下するように設けられ、チューブ容器等の搬送時や保管時に刃が密閉膜を破ることがないように、リング状ストッパあるいはリング状のカラー部材がキャップ下に設けられる（例えば、特許文献１参照。）。また、後者の場合は、刃が天板の上面に起立するように設けられる（例えば、特許文献２参照。）。
【０００６】
チューブ容器を開封するに際しては、前者にあっては、まず、ストッパやカラー部材をキャップと容器本体との間から除去する。そして、キャップを注出口に被せてネジ込み、天板の内面の刃で密閉膜を破り、チューブ容器の注出口を開封する。後者の場合は、キャップをチューブ容器から外して逆様にする。そして、キャップを注出口に被せてネジ込み、天板の外面の刃で密閉膜を破り、チューブ容器の注出口を開封する。
【０００７】
その後は、いずれの方式の場合も、キャップを注出口から除去することにより、チューブ容器から中味を押し出すことができ、所望量押し出した後にキャップを再び注出口に螺合させることでチューブ容器を密封することができる。
【先行技術文献】
【特許文献】
【０００８】
【特許文献１】特開２００２−２２５８９４号公報
【特許文献２】特開２０００−２０３６２０号公報
【発明の概要】
【発明が解決しようとする課題】
【０００９】
上記した前者のストッパやリング状カラー部材を必要とするキャップは、ストッパ等を要する分だけ部品点数が多くなりコストアップを招く。また、ストッパやリング状カラー部材がキャップに強固に取り付けられている場合は、それらの除去が面倒であり、容器の開封操作に手間と時間がかかるという問題がある。逆に、ストッパやリング状カラー部材がキャップに緩く取り付けられている場合は、ストッパやリング状カラー部材がキャップから脱落し、チューブ容器の運搬中等に開封刃が注出口の密閉膜を破るおそれがある。さらに、キャップが他の物体等に接触する等して少しでもねじ込まれると、注出口の密閉膜が直ちに破られ、容器の密閉性が損なわれてしまうという問題もある。
また、後者のストッパやリング状カラー部材を必要としないチューブ容器の場合は前者におけるような問題はないものの、密閉膜を一旦開封したのちキャップを開閉操作する際、開封刃に付着した中味が使用者の手等に付着するという問題がある。また、開封刃が使用前や使用後において使用者の手等に当たって使用者に不快感を与えるおそれがあるという問題もある。
【００１０】
したがって、本発明は、上記問題点を解消することができる開封刃付きキャップを提供することを目的とする。
【課題を解決するための手段】
【００１１】
本発明は上記課題を解決するためのもので、次のような構成を採用する。
【００１２】
なお、図面の参照符号を括弧付きで付するが、本発明はこれに限定されるものではない。
【００１３】
すなわち、請求項１に係る発明は、キャップ本体（３）の軸方向の中間に天板（６）が設けられ、この天板（６）で区切られるキャップ本体（３）の一方の空洞（Ｐ）内に、容器本体（１）の注出口（２）の雄ネジ（２ａ）と螺合する雌ネジ（３ａ）が形成され、他方の空洞（Ｑ）内には、容器本体（１）の注出口（２）の密閉膜（４）を破る開封刃（５）が天板（６）から起立するように設けられた開封刃付きキャップにおいて、上記他方の空洞（Ｑ）内に、上記密閉膜（４）を上記開封刃（５）により破る時と破った後の再封時に上記注出口（２）の雄ネジ（２ａ）と螺合する雌ネジ（３ｂ）が形成された開封刃付きキャップを採用する。
【００１４】
請求項２に記載されるように、請求項１に記載の開封刃付きキャップにおいて、複数個の開封刃（５）が上記天板（６）の中心の回りに配置されたものとすることができる。
【００１５】
請求項３に記載されるように、請求項２に記載の開封刃付きキャップにおいて、開封刃（５）が、上記天板（６）の中央から起立する円柱の端面にＶ型溝が設けられることにより形成される形状とすることができる。
【００１６】
請求項４に記載されるように、請求項１に記載の開封刃付きキャップにおいて、開封刃（５）が、上記天板（６）の中心から外れた位置に設けられたものとすることができる。
【００１７】
請求項５に記載されるように、請求項４に記載の開封刃付きキャップにおいて、開封刃（５）が、上記天板（６）の中央から起立する円柱をその中心軸に斜めに交差する斜面で切除した形状とされたものとすることができる。
【発明の効果】
【００１８】
本発明に係る開封刃付きキャップによれば、キャップ本体（３）の軸方向の中間に天板（６）が設けられ、この天板（６）で区切られるキャップ本体（３）の一方の空洞（Ｐ）内に、容器本体（１）の注出口（２）の雄ネジ（２ａ）と螺合する雌ネジ（３ａ）が形成され、他方の空洞（Ｑ）内には、容器本体（１）の注出口（２）の密閉膜（４）を破る開封刃（５）が天板（６）から起立するように設けられた開封刃付きキャップにおいて、上記他方の空洞（Ｑ）内に、上記密閉膜（４）を上記開封刃（５）により破る時と破った後の再封時に上記注出口（２）の雄ネジ（２ａ）と螺合する雌ネジ（３ｂ）が形成されたことから、容器本体（１）の搬送時、展示時等において一方の空洞（Ｐ）内の雌ネジ（３ａ）を注出口（２）の雄ネジ（２ａ）と螺合させることで開封刃（５）と密閉膜（４）との接触を完全に防止することができるのはもちろんのこと、容器本体（１）の開封時に他方の空洞（Ｑ）内の雌ネジ（３ｂ）を注出口（２）の雄ネジ（２ａ）と螺合させることで開封刃（５）によって密閉膜（４）を簡易かつ正確に破ることができ、破った後もキャップ本体（３）の同じ雌ネジ（３ｂ）を使って注出口を開閉させることができるので、開封時に開封刃（５）に付着した中味が使用者の手等に付着することがない。また、再封時には開封刃（５）を容器本体（１）の注出口（２）内に挿入することができるので、容器本体（１）の再封時の密閉効果を高めることができる。
【図面の簡単な説明】
【００１９】
【図１】本発明の実施の形態１に係る開封刃付きキャップを示す斜視図である。
【図２】開封刃付きキャップの平面図である。
【図３】開封刃付きキャップの正面図である。
【図４】開封刃付きキャップの底面図である。
【図５】開封刃付きキャップの垂直断面図である。
【図６】（Ａ）は開封前の容器本体にキャッピングされた開封刃付きキャップの垂直断面図、（Ｂ）は開封前の容器本体から外された開封刃付きキャップの垂直断面図である。
【図７】（Ａ）は容器本体の開封に際しキャッピングする直前の開封刃付きキャップの垂直断面図、（Ｂ）は開封直後又は再封時の開封刃付きキャップの垂直断面図である。
【図８】本発明の実施の形態２に係る開封刃付きキャップを示し、（Ａ）は容器本体の開封に際しキャッピングする途中の開封刃付きキャップの垂直断面図、（Ｂ）は開封直後又は再封後の開封刃付きキャップの垂直断面図である。
【図９】開封刃を示す斜視図である。
【図１０】他の開封刃を示す斜視図である。
【発明を実施するための形態】
【００２０】
以下に本発明を実施するための形態について説明する。
【００２１】
＜実施の形態１＞
図１乃至図７に示すように、この開封刃付きキャップは、キャップ本体３の軸方向の中間に天板６が設けられ、この天板６で区切られるキャップ本体３の一方の空洞Ｐ内に、容器本体１の注出口２の雄ネジ２ａと螺合する雌ネジ３ａが形成され、他方の空洞Ｑ内には、容器本体１の注出口２の密閉膜４を破る開封刃５が天板６から起立するように設けられた構成とされる。
【００２２】
そして、図７（Ａ）（Ｂ）に示すように、上記他方の空洞Ｑ内に、密閉膜４を開封刃５により破る時と破った後の再封時に注出口２の雄ネジ２ａと螺合する雌ネジ３ｂが形成される。
【００２３】
容器本体１は、この実施の形態ではチューブ容器として形成されるが、他の形態の容器とすることも可能である。
【００２４】
容器本体１の注出口２は円筒形であり、その外周面には右巻きの雄ネジ２ａが形成される。注出口２は容器本体１と一体で成形することも可能であるが、別体として成形した後に容器本体１に接合し一体化することも可能である。
【００２５】
容器本体１の注出口２の先端は密閉膜４で遮蔽される。密閉膜４は例えばアルミニウム等の金属箔と樹脂層との積層体で形成される。注出口２が樹脂の射出成形によって形成される場合、密閉膜４のポリエチレン等からなる樹脂層が射出樹脂の熱で溶かされることにより密閉膜４が注出口２の先端からやや奥まった位置に設けられる。注出口２をアルミニウム等の金属板の絞りにより成形する場合は、当初から密閉膜４を注出口２と一体で形成することも可能である。
【００２６】
キャップ本体３は、より具体的には、端壁７と、端壁７から垂下する内外二重の円筒壁８，９とを有する。
【００２７】
内円筒壁８の軸方向の中間位置に上記天板６が設けられ、天板６で仕切られる一方の空洞Ｐの内周面に上記容器本体１の注出口２の雄ネジ２ａと螺合する雌ネジ３ａが形成され、他方の空洞Ｑの内周面に上記雄ネジ２ａと螺合する雌ネジ３ｂが形成される。
【００２８】
なお、外円筒壁９や端壁７は省略することも可能である。
【００２９】
開封刃５は、図１及び図２に示すように、二個設けられる。これら二個の開封刃５は、切っ先５ａが密閉膜４に対して同時に接触しうるように形成され、キャップ本体３の天板６の中央から起立する円柱を横断するようにＶ型溝を設けることによって形成される。
【００３０】
開封刃５は、図１０に示すように、二個よりも多く設けることができる。具体的には四個である。この多数の開封刃５は、キャップ本体３の天板６の中央から起立する円柱の下端にＶ型溝を放射状に設けることによって形成される。このように形成する結果、複数個の開封刃５は上記天板６の中心の回りに環状に配列されることになる。
【００３１】
上述した開封刃５によれば、キャップ本体３を容器本体１の肩部１ａ側へと螺進させると、開封刃５は旋回運動しながら密封膜４に食い込んでゆくので、密封膜４は円滑に破断し、密封膜４の中心には円形に整った穴が穿設されることとなる。
【００３２】
次に、上記構成を有した開封刃付きキャップの作用について説明する。
【００３３】
図６（Ａ）に示すように、容器本体１の注出口２の先端は当初密封膜４により閉じられている。容器本体１内には、毛染め剤、脱毛剤等所望の内容物が既に充填されている。
【００３４】
注出口２にはキャップ本体３が被せられ、容器本体１の一方の空洞Ｐ内における雌ネジ３ａが容器本体１の注出口２の雄ネジ２ａに螺合している。容器本体１はこの状態で搬送、保管、展示等される。
【００３５】
この雌ネジ３ａが容器本体１の注出口２の雄ネジ２ａに螺合した状態では、開封刃５が密閉膜４に接触するようなことはないので、容器本体１の密封性が確実に保持される。
【００３６】
未開封の容器本体１から中味を取り出すに際し、図６（Ｂ）に示すように、使用者によってキャップ本体３が矢印方向に回され、雌雄ネジ３ａ，２ａの螺合が解かれることにより、キャップ本体３が容器本体１の注出口２から外される。
【００３７】
続いて、図７（Ａ）に示すように、キャップ本体３を逆様にして容器本体１の注出口２に被せ、図７（Ｂ）に示すように、キャップ本体３を矢印で示す閉じ方向に回して容器本体１側へと螺進させ、雌雄ネジ３ｂ，２ａを螺合させると、開封刃５が旋回運動しながら密封膜４に食い込んでゆき、密封膜４が円滑にかつ正確に破断する。そして、図７（Ｂ）に示すように、密封膜４の中心に綺麗に整った円形の穴が穿設される。
【００３８】
使用者がキャップ本体３を逆転させ、雌雄ネジ３ｂ，２ａの螺合を解いて注出口２から外し、容器本体１を押圧すると、中味が密封膜４に開いた円形の穴から滑らかに吐出される。
【００３９】
その後、キャップ本体３を再び図７（Ｂ）のごとく注出口２に被せ、雌雄ネジ３ｂ，２ａを螺合させると、容器本体１は再封され密封状態とされる。
【００４０】
このように、容器本体１の開封時に他方の空洞Ｑ内の雌ネジ３ｂを注出口２の雄ネジ２ａと螺合させることで、開封刃５によって密閉膜４を破り、破った後も同じ雌ネジ３ｂを使ってキャップ本体３を注出口２に着脱するので、開封時に開封刃５に付着した中味が使用者の手等に付着しなくなる。
【００４１】
また、再封時には開封刃５が容器本体１の注出口２内に入り込むので、容器本体１の再封後の密閉効果が向上する。
【００４２】
＜実施の形態２＞
図８及び図９に示すように、この実施の形態２では、開封刃５が実施の形態１の場合とは異なった構成とされる。すなわち、開封刃５の切っ先５ａが密閉膜４に対して垂直と水平との間の角度で傾斜した状態で接触するように形成される。図８（Ａ）中、一点鎖線ｘが切っ先５ａの方向を示し、θが傾斜角度を示す。
【００４３】
より具体的には、図９に示すように、開封刃５がキャップ本体３の天井の中央から垂下する円柱をその中心軸に斜めに交差する斜面で切除した形状とされる。また、その結果、開封刃５は上記天井の中心から外れた位置に設けられることになる。
【００４４】
これにより、図６（Ａ）に示したと同様に開封前の容器本体１にキャップ本体３を装着した状態では、開封刃５の切っ先５ａが使用者の手等に触れにくくなり、使用者に不快感を与えることがなくなる。
【００４５】
未開封の容器本体１から中味を取り出すに際しては、図６（Ｂ）に示したと同様に、使用者によってキャップ本体３が矢印方向に回され、雌雄ネジ３ａ，２ａの螺合が解かれることにより、キャップ本体３が容器本体１の注出口２から外される。
【００４６】
続いて、図８（Ａ）に示すように、キャップ本体３を逆様にして容器本体１の注出口２に被せ、図８（Ｂ）に示すように、キャップ本体３を矢印で示す閉じ方向に回して容器本体１側へと螺進させ、雌雄ネジ３ｂ，２ａを螺合させると、開封刃５が旋回運動しながら密封膜４に食い込んでゆき、密封膜４が円滑にかつ正確に破断する。
【００４７】
使用者が中味を取り出した後、キャップ本体３を再び図８（Ｂ）のごとく注出口２に被せ、雌雄ネジ３ｂ，２ａを螺合させると、容器本体１は再封され密封状態とされる。
【００４８】
その他、実施の形態２において実施の形態１における部分と同じ箇所には同じ符号を用いて示すこととし、重複した説明を省略する。
【００４９】
なお、本発明は上記実施の形態に限定されるものではなく、例えば上記実施の形態では容器本体をチューブ容器として説明したが、それ以外の形状の容器についても本発明を適用可能である。
【符号の説明】
【００５０】
１…容器本体
２…注出口
２ａ…雄ネジ
３…キャップ本体
３ａ，３ｂ…雌ネジ
４…密閉膜
５…開封刃
５ａ…切っ先
【図１】
2012076786.tif 000003
【図２】
2012076786.tif 000004
【図３】
2012076786.tif 000005
【図４】
2012076786.tif 000006
【図５】
2012076786.tif 000007
【図６】
2012076786.tif 000008
【図７】
2012076786.tif 000009
【図８】
2012076786.tif 000010
【図９】
2012076786.tif 000011
【図１０】
2012076786.tif 000012